(57)【要約】【課題】  従来はビデオカメラを用いてプリクラ画像を得るためには、ユーザの好みのフレーム画像保存のために別途パソコンやカードリーダなどの機器が必要であり、それらと記録媒体との接続や取り外し作業なども必要であり、コスト及び作業面で問題がある。【解決手段】  ビデオカメラ１００は、パソコン／携帯電話２００からネットワークを介して送信されたサムネイル画像一覧の中からユーザの好みの一つのサムネイル画像を選択し（Ｓ２〜Ｓ４）、それをパソコン／携帯電話２００から受信してメモリカードの特定のディレクトリに記憶する（Ｓ５）。その後、ビデオカメラ１００において、メモリカードの所定のディレクトリから再生した実際に撮影した静止画像を読み出して表示部１０５に表示させると共に、前記特定のディレクトリから選択サムネイル画像を外枠画像として読み出して表示部１０５でプリクラ重畳する。【選択図】            図２
2006041566.tif 000002
【特許請求の範囲】
【請求項１】
ネットワークに接続可能なサーバ機能を持つビデオカメラにおいて、
ネットワークを介して受信した画像データ及び撮影した被写体像の撮影静止画を前記記録媒体に記録する記録手段と、
表示部と、
前記記録媒体に記録されている前記受信した画像データと前記被写体静止画とを選択的に再生して、合成静止画を前記表示部に表示させる合成手段と
を有することを特徴とするビデオカメラ。
【請求項２】
ネットワークに接続可能なサーバ機能を持つビデオカメラと、複数枚のフレーム画像からなるサムネイル画像一覧を記録しているクライアントとの間で、ネットワークを介してデータの授受を行うネットワークシステムにおいて、
前記ビデオカメラは、
前記クライアントから前記サムネイル画像一覧又は一枚の前記フレーム画像を受信する第１の受信手段と、
受信した前記サムネイル画像一覧の中から選択した任意の一枚のフレーム画像の送信要求を前記クライアントへ送信する第１の送信手段と、
撮影した被写体像の撮影静止画及び前記クライアントから受信した前記任意の一枚のフレーム画像を記録媒体に記録する記録手段と、
前記記録媒体に記録されている前記受信した画像データと前記被写体静止画とを選択的に再生して、前記受信した画像データによる外枠画像の中に前記被写体静止画が嵌め込まれた合成静止画を表示部に表示させる合成手段とを有し、
前記クライアントは、
前記サムネイル画像一覧を前記ビデオカメラへ送信する第２の送信手段と、
前記ビデオカメラから送信された、前記任意の一枚のフレーム画像の送信要求を受信する第２の受信手段と、
前記第２の受信手段により受信した前記送信要求に基づく一枚のフレーム画像を、前記サムネイル画像一覧の中から選択して前記ビデオカメラへ送信する第３の送信手段とを有することを特徴とするビデオカメラを利用したネットワークシステム。
【発明の詳細な説明】
【技術分野】
【０００１】
本発明はビデオカメラ及びビデオカメラを利用したネットワークシステムに係り、特にネットワーク機能を持つビデオカメラで撮影した静止画を、予め用意したフレーム画像に合成する機能を有するビデオカメラ及びそのビデオカメラを利用したネットワークシステムに関する。
【背景技術】
【０００２】
従来より、通信する２台のカメラ付き携帯電話機のそれぞれで撮影した通話者の顔画像を、一方又は両方のカメラ付き携帯電話機の表示部で並べて配置し、更にそれらの画像を、任意に選択した外枠画像内に合成して、その合成画像データをメモリに保存する画像合成システムが知られている（例えば、特許文献１参照）。
【０００３】
この特許文献１記載の画像合成システムでは、外枠の画像データは、カメラ付き携帯電話機内のメモリに予め保存されているものか、あるいは、ネットワークからダウンロードしてカメラ付き携帯電話機内のメモリに保存したものであり、背景画像や額縁画像を用いることで、遊技場等にある写真撮影装置（通称「プリントクラブ」）で撮影したものと同様の画像（以下、これを本明細書では「プリクラ画像」といい、またプリクラ画像を得るための画像合成を「プリクラ重畳」というものとする）を印刷したものを、写真撮影装置にある場所まで出向かなくても簡単に、しかも必要に応じて何枚でも作成することができる。
【０００４】
【特許文献１】特開２００２−１７１４９７号公報
【発明の開示】
【発明が解決しようとする課題】
【０００５】
しかるに、上記の画像合成システムは、カメラ付き携帯電話機を使用したものであり、カメラ付き携帯電話機の替わりに、着脱自在な可搬型記録媒体（ＳＤメモリカード、メモリスティックなど）に被写体像の静止画を記録する機能を備えたビデオカメラを使用することができない。
【０００６】
ビデオカメラを使用してプリクラ重畳を行う場合は、撮影した例えば図７に示す静止画像１０と、可搬型記録媒体に予め格納されている、例えば図８に示すようなプリクラ重畳に用いる外枠画像用のフレーム画像１１とを合成して、図９に示すような合成画像（プリクラ画像）１３を生成する。ここで、プリクラ重畳に用いる外枠画像用のフレーム画像は、上記の可搬型記録媒体の特定ディレクトリに保存されている必要がある。
【０００７】
その特定ディレクトリに保存される上記のフレーム画像として、ビデオカメラのメーカが提供するフレーム画像以外のユーザの好みのフレーム画像を用いる場合は、ビデオカメラから上記の可搬型記録媒体を一旦取り外し、その可搬型記録媒体をカードリーダを介してパーソナルコンピュータ（パソコン）に接続し、パソコンで作成あるいは、ネットワークを介してダウンロードしたユーザの好みのフレーム画像を、カードリーダを介して可搬型記録媒体の特定フォルダに保存する必要がある。
【０００８】
このため、従来はビデオカメラを用いてプリクラ画像を得るためには、ユーザの好みのフレーム画像保存のために別途パソコンやカードリーダなどの機器が必要であり、また、それらと可搬型記録媒体との接続や取り外し作業なども必要であり、コスト及び作業面で問題がある。
【０００９】
本発明は以上の点に鑑みなされたもので、ビデオカメラ本体から可搬型記録媒体を取り外すことなく、ネットワーク経由で所望のフレーム画像を取得し得るビデオカメラ及びビデオカメラを利用したネットワークシステムを提供することを目的とする。
【課題を解決するための手段】
【００１０】
上記目的を達成するため、本発明のビデオカメラは、ネットワークに接続可能なサーバ機能を持つビデオカメラにおいて、ネットワークを介してクライアントから受信した画像データ及び撮影した被写体像の撮影静止画を記録媒体に記録する記録手段と、表示部と、記録媒体に記録されている受信した画像データと被写体静止画とを選択的に再生して、合成静止画を表示部に表示させる合成手段とを有することを特徴とする。
【００１１】
この発明では、自身が撮影した被写体静止画を記録媒体に記録しておき、ネットワークを介してクライアントから受信した画像データによる外枠画像の中に、上記の記録媒体から再生した被写体静止画が嵌め込まれた、所謂プリクラ重畳された合成静止画を表示部に表示させることができ、これにより記録媒体をビデオカメラから取り外すことなくプリクラ重畳でき、また、ユーザの好みのフレーム画像保存のために別途パソコンやカードリーダなどの機器が不要である。
【００１２】
また、上記の目的を達成するため、本発明のネットワークシステムは、ネットワークに接続可能なサーバ機能を持つビデオカメラと、複数枚のフレーム画像からなるサムネイル画像一覧を記録しているクライアントとの間で、ネットワークを介してデータの授受を行うネットワークシステムにおいて、上記のビデオカメラは、
クライアントからサムネイル画像一覧又は一枚のフレーム画像を受信する第１の受信手段と、受信したサムネイル画像一覧の中から選択した任意の一枚のフレーム画像の送信要求をクライアントへ送信する第１の送信手段と、撮影した被写体像の撮影静止画及びクライアントから受信した任意の一枚のフレーム画像を記録媒体に記録する記録手段と、記録媒体に記録されている受信した画像データと被写体静止画とを選択的に再生して、受信した画像データによる外枠画像の中に被写体静止画が嵌め込まれた合成静止画を表示部に表示させる合成手段とを有し、
上記のクライアントは、
サムネイル画像一覧をビデオカメラへ送信する第２の送信手段と、ビデオカメラから送信された、任意の一枚のフレーム画像の送信要求を受信する第２の受信手段と、第２の受信手段により受信した送信要求に基づく一枚のフレーム画像を、サムネイル画像一覧の中から選択してビデオカメラへ送信する第３の送信手段とを有することを特徴とする。
【００１３】
この発明では、ビデオカメラは、クライアントから受信したサムネイル画像一覧の中から選択した一枚のフレーム画像（サムネイル画像）と、記録媒体から再生した被写体静止画との合成画像を得ることができる。
【発明の効果】
【００１４】
本発明によれば、ビデオカメラがネットワークを介して受信したサムネイル画像一覧の中から、好みの一枚のサムネイル画像（フレーム画像）を選択して取得し、それを記録媒体に記録されている撮影静止画とプリクラ重畳するようにしたため、ビデオカメラのメーカの提供するプリクラフレーム以外のユーザの好みのフレーム画像でプリクラ重畳を行うことができると共に、ユーザの好みのフレーム画像保存のためのパソコンやカードリーダなどの機器が不要であり、また、それらとメモリカードなどとの接続や取り外し作業なども不要にでき、コストの低減及び作業性を大幅に向上できる。
【発明を実施するための最良の形態】
【００１５】
次に、発明を実施するための最良の形態について図面と共に説明する。図１は本発明になるビデオカメラを利用したネットワークシステムの一実施の形態の概略構成図を示す。この実施の形態では、本発明のネットワークに接続可能な構成のビデオカメラ１００がネットワーク（インターネットやローカル・エリア・ネットワークなど）５００を介して、パソコン及び携帯電話の両方又はどちらか一方（以下、これを「パソコン／携帯電話」と記す）２００に双方向接続されている。
【００１６】
また、パソコン／携帯電話２００は、ネットワーク環境が整っていて、ウェブブラウザや画像編集ソフトなどを搭載したパソコン及び／又は携帯電話であり、ネットワーク（インターネットやローカル・エリア・ネットワークなど）４００を介してウェブサイト３００に双方向接続されている。このネットワークシステムでは、ビデオカメラ１００はサーバとし、パソコン／携帯電話２００及びウェブサイト３００をクライアントとみなす。
【００１７】
図２は本発明になるビデオカメラの一実施の形態の概略ブロック図をクライアントと共に示す。ビデオカメラ１００は、クライアントであるパソコン２０１（図１のパソコン／携帯電話２００をパソコンとしたとき）のウェブ（Ｗｅｂ）ブラウザ２０２とネットワークを介して通信する通信部１０１と、通信部１０１が受信したＨＴＴＰ（HyperText Transfer Protocol)のＧＥＴメソッド又はＰＯＳＴメソッドを解析したり、必要なレスポンスのデータを生成して通信部１０１を介してパソコン２０１へ送信させる制御部１０２を有する。
【００１８】
また、ビデオカメラ１００は、制御部１０２の制御の下にメモリカード１０４からサムネイル画像などの静止画を読み出したり、必要に応じて図示しないカメラ部及び画像処理部をそれぞれ経由して得られる被写体像の映像信号の静止画像をメモリカード１０４に書き込むメモリカード読み書き部１０３と、メモリカード１０３から読み出された画像信号を表示する表示部１０５とを備えている。
【００１９】
更に、図示は省略したが、ビデオカメラ１００は、上記の被写体像の映像信号を例えば磁気テープに記録再生する記録再生部も有している。更に、ビデオカメラ１００は、上記の磁気テープに動画の映像信号を記録する毎に、その記録開始直後の映像信号の静止画を生成して、日付情報、磁気テープの記録開始位置を示すタイムコードその他の識別情報と共に、磁気テープの頭出し検索用のサムネイル画像としてメモリカード１０４に記録する機能や、静止画モードで撮影した静止画像を、名前や画像サイズ、横幅、縦幅などの詳細情報と共にサムネイル画像一覧としてメモリカード１０４に記録し、その中から任意の選択した静止画を再生する機能も有する。
【００２０】
次に、本実施の形態の動作について説明する。まず、フレーム画像を用意し、サムネイル画像の一覧を作成する。この動作について図３及び図４と共に説明する。図３は図１の実施の形態の構成図に、動作シーケンスを加えて書き改めた図であり、図１と同一構成部分には同一符号を付してある。
【００２１】
図３において、まず、クライアント側のパソコン／携帯電話２００が、ネットワーク（図１の４００）を介してウェブサイト３００からフレーム画像をダウンロードする（ステップＳ１）。上記のフレーム画像は、プリクラ重畳に用いる外枠画像用のフレーム画像であり、例えば図８に１１で示すような静止画像である。なお、パソコン／携帯電話２００がパソコンである場合は、パソコン自身が上記のフレーム画像を作成することもできる。
【００２２】
このとき、パソコン／携帯電話２００がパソコンである場合は、サムネイル画像一覧も作成する。このサムネイル画像一覧は、例えば図４に３０で示すように、静止画である複数（ここでは９枚）のサムネイル画像が整列配置された画像群であり、その各々は、互いに異なる模様などの外枠画像３１と、詳細情報（通し番号、画像サイズ、名前、横幅、縦幅など）３２とからなる。また、クライアント側のユーザ独自のコメントを掲載してもよい。
【００２３】
携帯電話では、このようなサムネイル画像一覧３０を作成するような機能がない場合は省略してもよいが、ビデオカメラ１００はサムネイル画像一覧３０から好みのサムネイル画像（フレーム画像）を選択することができなくなるので、クライアント側ユーザがどんなフレーム画像を送るかを決定することになる。
【００２４】
次に、パソコン／携帯電話２００とビデオカメラ１００との間でネットワークを介してデータ授受を行う。なお、その際利用するネットワーク（インターネット／ローカル・エリア・ネットワーク）はＰｅｅａ  ｔｏ  Ｐｅｅａネットワークで、クライアントであるパソコン／携帯電話２００と、サーバであるビデオカメラ１００は１：１で通信を行うもので、前述したクライアント側のパソコン／携帯電話２００が、フレーム画像などをウェブサイト３００からダウンロードする際に利用するネットワーク（インターネット／ローカル・エリア・ネットワーク）とは異なる。
【００２５】
データ授受方法は、クライアント側のパソコン／携帯電話２００からサーバ側のビデオカメラ１００へは、ＨＴＴＰのＰＯＳＴメソッドを用い、サーバ側のビデオカメラ１００からクライアント側のパソコン／携帯電話２００へは、ＨＴＴＰのＧＥＴメソッドを用いる。
【００２６】
詳細は以下のようになる。パソコン／携帯電話２００としてパソコンを用いて、サムネイル画像一覧３０を作成した後、サーバ側のビデオカメラ１００へそれを伝送するため、ＨＴＴＰのＰＯＳＴメソッドを実行する（図３のステップＳ２）。パソコン／携帯電話２００が携帯電話のみの使用で、サムネイル画像一覧３０を作成できない場合は、この必要はない。なお、上記のＰＯＳＴメソッドは、クライアントからサーバへ情報を伝送する時のＨＴＴＰリクエストに含まれるメソッドである。
【００２７】
続いて、パソコン／携帯電話２００は、サーバ側のビデオカメラ１００がサムネイル画像一覧３０からどんなサムネイル画像を選択したかを知るための情報を含むファイルを取得するために、「サムネイル画像から１つの画像を選択しろ」との命令に相当するＨＴＴＰのＧＥＴメソッドを発行する（図３のステップＳ３）。または、ＨＴＭＬ形式のサムネイル画像一覧３０で、サーバ側のビデオカメラ１００がどんな画像をクリックしたかを知るための情報を含むファイルを取得するために、同じくＨＴＴＰのＧＥＴメソッドを発行する。
【００２８】
なお、上記のＧＥＴメソッドは、クライアントがサーバからの情報を要求する時のＨＴＴＰリクエストに含まれるメソッドである。なお、パソコン／携帯電話２００が携帯電話であり、サムネイル画像一覧３０を作成できない場合は、ＧＥＴメソッドの発行の必要はない。
【００２９】
ビデオカメラ１００には、例えば、フレーム画像試着モードというモードを選択すると、サムネイル画像と実際に撮影した画像の２つを、それぞれビデオカメラ１００の表示部（液晶部あるいはビューファインダー部）１０５の大きさまでリサイズしてプリクラ重畳を行う、サムネイル画像を試着するような機能が組み込まれている。
【００３０】
このため、ビデオカメラ１００のユーザが、フレーム画像試着モードを選択し、通信部１０１で受信したサムネイル画像一覧３０の中から任意の一つのサムネイル画像（フレーム画像）を選択して、その選択サムネイル画像と実際に撮影した画像とを仮想的に合成して、ビデオカメラ１００の表示部１０５の大きさまでリサイズして完成イメージを想像し易い状態で、あたかもプリクラ重畳された画像を見ることを、サムネイル画像一覧３０のサムネイル画像（フレーム画像）を一つずつ順次切り替えながら繰り返し、最も気に入った一つのサムネイル画像を最終的に選択する。
【００３１】
続いて、レスポンスとして、ビデオカメラ１００からパソコン／携帯電話２００に、ビデオカメラ１００のユーザがサムネイル画像一覧３０から最終的に選択した一つのサムネイル画像の情報を含むファイルが送られる（図３のステップＳ４）。なお、パソコン／携帯電話２００が携帯電話のみの使用でサムネイル画像一覧３０を作成できない場合は、このファイル返送は必要ない。
【００３２】
クライアント側のパソコン／携帯電話２００は、ビデオカメラ１００からのファイルを受信すると、選択された一つのサムネイル画像（フレーム画像）を送るため、ＨＴＴＰのＰＯＳＴメソッドを実行する（図３のステップＳ５）。ビデオカメラ１００では、パソコン／携帯電話２００から送られてきた選択された一つのサムネイル画像（フレーム画像）を図２の通信部１０１で受信してそれをメモリカード読み書き部１０３の制御の下でメモリカード１０４の特定のディレクトリに記憶する。
【００３３】
その後、プリクラ画像を表示部１０５で表示するには、ビデオカメラ１００において、メニュー画面からプリクラ重畳モード（またはそれに近いモード）を実行し、メモリカード読み書き部１０３が、メモリカード１０４の所定のディレクトリに予め静止画モードで記録された複数枚の実際に撮影した静止画像の中から任意に選択した一つの静止画像を読み出して表示部１０５に表示させ、この状態で、前記特定のディレクトリから選択サムネイル画像（フレーム画像）を読み出して表示部１０５で合成する。
【００３４】
すなわち、例えば、クライアントからのサムネイル画像一覧３０の中から選択してメモリカードの特定のディレクトリに格納されているサムネイル画像（フレーム画像）が図８に示した静止画像１１であり、ビデオカメラ１００において静止画モードで実際に撮影してメモリカード１０４の別のディレクトリに記憶されている複数枚の静止画像から選択した撮影静止画像が図７に示した画像１０であるときには、メモリカード読み書き部１０３が、上記特定のディレクトリから画像１１を読み出すと共に、その画像１１中の白い部分については画像１１に替えて上記別のディレクトリから画像１０を読み出して時系列的に合成することにより、表示部１０５には、図９に示すように、選択サムネイル画像１１を外枠画像とし、その外枠の中に撮影静止画像１０が嵌め込まれた、プリクラ画像１３が表示されることになる。
【００３５】
なお、ビデオカメラ１００において、受信したサムネイル画像一覧３０の中からどのようなサムネイル画像を選択したかを知るための情報を含むファイルが作成できていない場合は、もう一度パソコン／携帯電話２００により、図３のステップＳ３の処理が行われる。これは、ファイルが作成されるまで繰り返される。また、上記のプリクラ重畳された合成画像は、静止画モードで実際に撮影された複数枚の静止画像が一覧として記憶されているメモリカード１０４の上記の別のディレクトリに、追加記憶される。
【００３６】
このように、本実施の形態によれば、ビデオカメラ１００で静止画を撮影したその場で、メーカの提供するプリクラフレーム以外のフレーム画像でプリクラ重畳を行いたい場合、パソコン／携帯電話２００からネットワークを介して受信したサムネイル画像一覧３０の中から、好みの一枚のサムネイル画像（フレーム画像）を選択して取得し、それをメモリカード１０４からの撮影静止画とプリクラ重畳することができるため、ユーザの好みのフレーム画像保存のためのパソコンやカードリーダなどの機器が不要であり、また、それらとメモリカードなどとの接続や取り外し作業なども不要にでき、コストの低減及び作業性を大幅に向上できる。
【００３７】
次に、本発明の他の実施の形態について説明する。図５は本発明になるビデオカメラを利用したネットワークシステムの他の実施の形態の概略説明図を示す。同図中、図１と同一構成部分には同一符号を付してある。図５において、クライアント側のパソコン／携帯電話２００からサーバ側のビデオカメラ１００に、クライアントが欲しい画像データを選択できるように『静止画のサムネイル一覧を送れ』との命令を出す（図５のステップＳ１１）。上記の命令の送出は、ＨＴＴＰのＧＥＴメソッドを発行することで行われる。
【００３８】
上記の命令をビデオカメラ１００がネットワークを介して受信すると、そのレスポンスとして、ビデオカメラ１００は、メモリカード１０４の前記別のディレクトリに静止画モードで実際に撮影された複数枚の静止画像がサムネイル一覧として記憶されている静止画サムネイル一覧をネットワークを介してパソコン／携帯電話２００へ送信する（図５のステップＳ１２）。
【００３９】
ここで、上記のメモリカード１０４の別のディレクトリに静止画モードで実際に撮影されて記憶されている複数枚の静止画のサムネイル画像一覧の一例を図６に４０で示す。この静止画のサムネイル画像一覧４０のうちＮｏ.１からＮｏ.６は、実際に静止画モードで撮影された静止画であり、Ｎｏ.７はビデオカメラ１００においてプリクラ重畳された合成画像である。これらのサムネイル画像一覧４０の各静止画には、図６に示すように、フレーム画像の詳細情報３２と同様な詳細情報４２が対応付けて記録再生される。
【００４０】
パソコン／携帯電話２００は、ビデオカメラ１００からネットワークを介して送られてきた静止画サムネイル画像一覧４０からＮｏ.＊＊の一つの静止画を選択し、『Ｎｏ．＊＊の静止画を送れ』とＨＴＴＰのＧＥＴメソッドを発行する（図５のステップＳ１３）。なお、この静止画サムネイル画像一覧４０の中には、ビデオカメラ１００からの要求により、先に送信したプリクラ重畳される一枚のフレーム画像が、ビデオカメラ１００においてどのような状態でプリクラ重畳されたかの合成画像が図６にＮｏ.７で示すように含まれているので、クライアントは自分が送信したフレーム画像がどのようにプリクラ重畳されたかの結果を、上記合成画像に基づいて確認することができる。
【００４１】
ビデオカメラ１００は、ステップＳ１３でパソコン／携帯電話２００から送信された命令のレスポンスとして、パソコン／携帯電話２００が選択したＮｏ.＊＊の静止画をネットワークを介してパソコン／携帯電話２００へ送信する（図５のステップＳ１４）。
【００４２】
なお、本発明は以上の実施の形態に限定されるものではなく、例えば、静止画モードで被写体撮影静止画を記録したり、受信フレーム画像を記録する記録媒体は、メモリカードに限らず、映像信号を記録再生できる記録媒体であれば、どのようなものでも適用可能であり、また、記録媒体はビデオカメラに対して着脱自在でなくても差し支えない。
【図面の簡単な説明】
【００４３】
【図１】本発明システムの一実施の形態の概略構成図である。
【図２】本発明のビデオカメラの一実施の形態の概略ブロック図をクライアントと共に示す図である。
【図３】本発明システムの一実施の形態の概略説明図である。
【図４】サムネイル画像（フレーム画像）一覧の一例を示す図である。
【図５】本発明システムの他の実施の形態の概略説明図である。
【図６】ビデオカメラのメモリカードに記録されているサムネイル画像の一覧の一例を示す図である。
【図７】撮影静止画像の一例を示す図である。
【図８】選択されたサムネイル画像（フレーム画像）の一例を示す図である。
【図９】撮影した画像とフレーム画像を合成したプリクラ画像とした一例
【符号の説明】
【００４４】
１０  撮影した画像
１１  フレーム画像（サムネイル画像）
１３  撮影した画像とフレーム画像を合成したプリクラ画像
３０、４０  サムネイル画像一覧
３１、４１  サムネイル画像
３２、４２  サムネイル画像の詳細情報
１００  ネットワーク接続機能付きビデオカメラ
１０１  通信部
１０２  制御部
１０３  メモリカード読み書き部
１０４  メモリカード
１０５  表示部
２００  パソコン／携帯電話
２０１  パソコン
２０２  Ｗｅｂブラウザ
３００  ウェブサイト
４００  一般的なネットワーク
５００  一般的なネットワークを介したＰｅｅａ  ｔｏ  Ｐｅｅａネットワーク
【図１】
2006041566.tif 000003
【図２】
2006041566.tif 000004
【図３】
2006041566.tif 000005
【図４】
2006041566.tif 000006
【図５】
2006041566.tif 000007
【図６】
2006041566.tif 000008
【図７】
2006041566.tif 000009
【図８】
2006041566.tif 000010
【図９】
2006041566.tif 000011